(57)【要約】      （修正有）【課題】地震発生時等において棚に載置したファイルや商品等の物品が棚より落下するのを防止するための載置物落下防止ベルトにおいて、垂れ下った調節用ベルトを張架ベルトと一体に保持する、載置物落下防止ベルト用保持具を提供する。【解決手段】張架ベルト６を挿通してスライド自在な偏平筒の外周面に面ファスナー２を配設した保持具１と、保持具１の面ファスナー２と対面して係合できる面ファスナー１１を調節用ベルト１０の先端部に配設して構成し、フランスカン８にて張架ベルト４を張設した後に調節用ベルト１０の面ファスナー１１を保持具１の面ファスナー２と係合して弛みを取り張架ベルト４と一体に保持することができる構造とする。【選択図】図１
0003187981.tif 000002
【実用新案登録請求の範囲】
【請求項１】
張架ベルトを挿通してスライド自在な偏平筒の外周面に面ファスナーを配設した保持具と、前記保持具の面ファスナーと対面して係合できる面ファスナーを調節用ベルトの先端部に配設して構成し、フランスカンにて張架ベルトを張設した後に調節用ベルトの面ファスナーを保持具の面ファスナーと係合して弛みを取り張架ベルトと一体に保持することができる構造としたことを特徴とする、載置物落下防止ベルト用保持具。
【考案の詳細な説明】
【技術分野】
【０００１】  本考案は、地震発生時等において棚に載置したファイルや商品等の物品が当該棚より落下するのを防止するための載置物落下防止ベルトにおいて、垂れ下った調節用ベルトを張架ベルトと一体に保持する、載置物落下防止ベルト用保持具に関するものである。なお、本説明における調節用ベルトとは結合手段としてのフランスカンを通した後の長さ調節を行う部分のベルトを指し、張架ベルトとは支柱に固定したベルトの端部から前記フランスカンまでの部分のベルトを指すものとする。
【背景技術】
【０００２】  従来、オフィスや工場を始めあらゆる場所においてファイルや商品等の物品を木製棚やスチール製棚に載置して整理保管している。【０００３】  地震発生時等において上記棚に載置したファイルや商品等の物品が当該棚より落下するのを防止するための方法として、当該棚自体が転倒するのを防止すべく、棚の支柱や天板をワイヤーや金具等により床や壁等に固定していた。【０００４】  しかしながら、上記方法では大きな地震、特に横揺れが激しい地震の場合、棚自体は床や壁等に固定されて転倒しなくとも、棚板に載置したファイルや商品等の物品が落下する危険性がある。このような危険性を防止すべく、本願出願人による実用新案登録第３１７０５３９号公報の考案の名称「載置物落下防止具」では、上下棚板で形成される載置空間の略中間の高さにおいて、オス側ワンタッチバックルを係着したベルトとメス側ワンタッチバックルを係着したベルトをそれぞれ左右の側板（支柱）に固定し、前記それぞれのワンタッチバックルを嵌着したときに緩みなく左右の側板（支柱）間の前面にベルトを張設して載置物の落下防止を図ることを特徴とした、載置物落下防止具について記載した。【０００５】
【特許文献１】実用新案登録第３１７０５３９号
【考案の開示】
【考案が解決しようとする課題】
【０００６】  上記公報において、ワンタッチバックルに係着したベルトの長さは、当該ワンタッチバックルを嵌着したときに緩みなく張設できるように予め調節され、端部のベルトはベルト留めにて保持されている。結合手段として前記ワンタッチバックルを使用する場合は問題ないものの、フランスカンを使用する場合には調節用ベルトを当該フランスカンとローレット軸の間に通して張設するため、ある程度の長さの調節用ベルトが必要になる。このため、張設後は前記調節用ベルトが垂れ下がり、邪魔となるばかりか美観を損ねるという問題点があった。【０００７】  本考案は、上記問題点を解決するために成されたものであり、地地震発生時等において棚に載置したファイルや商品等の物品が当該棚より落下するのを防止するための載置物落下防止ベルトにおいて、垂れ下った調節用ベルトを張架ベルトと一体に保持する、載置物落下防止ベルト用保持具を提供することを目的とする。
【課題を解決するための手段】
【０００８】  上記課題を解決するため、本考案の載置物落下防止ベルト用保持具は、張架ベルトを挿通してスライド自在な偏平筒の外周面に面ファスナーを配設した保持具と、前記保持具の面ファスナーと対面して係合できる面ファスナーを調節用ベルトの先端部に配設して構成し、フランスカンにて張架ベルトを張設した後に調節用ベルトの面ファスナーを保持具の面ファスナーと係合して弛みを取り張架ベルトと一体に保持することができる構造とする。
【考案の効果】
【０００９】  本考案の載置物落下防止ベルト用保持具を用いれば、地震発生時等において棚に載置したファイルや商品等の物品が当該棚より落下するのを防止するための載置物落下防止ベルトにおいて、垂れ下った調節用ベルトを張架ベルトと一体に容易且つ安価に保持することができるという効果を奏する。
【考案を実施するための最良の形態】
【００１０】  本考案を実施するための最良の形態を図を用いて説明する。【００１１】  図１は本考案の載置物落下防止ベルト用保持具の使用状態を示した図であり、（ａ）は使用前の状態、（ｂ）は使用後の状態である。また、図２は本考案の載置物落下防止ベルト用保持具の外形図である。図２および図１の（ａ）に示すように、本考案の載置物落下防止ベルト用保持具は、張架ベルト６を挿通してスライド自在な偏平筒３の外周面に面ファスナー２を配設した保持具１と、前記保持具１の面ファスナー２と対面して係合できる面ファスナー１１を調節用ベルト１０の先端部に配設して構成する。前記面ファスナー２と面ファスナー１１は一般的にフック側とループ側を対にして使用するが、各面ファスナー２と面ファスナー１１にどちら側を使用するかは任意で構わない。【００１２】  図１の（ａ）は調節用ベルト１０をフランスカン８とローレット軸９の間に通して張設したままの状態を示しており、当該調節用ベルト１０は垂れ下ったままである。また、図１の（ｂ）は調節用ベルト１０の先端部に配設された面ファスナー１１を保持具１の面ファスナー２と係合して弛みを取り張架ベルト６と一体に保持している状態である。前記保持具１は張架ベルト６内を自在にスライドできるため、調節用ベルト１０の先端部に配設された面ファスナー１１と対面できる位置に容易に移動することができる。【００１３】  図３は本考案の載置物落下防止ベルト用保持具を実装しない状態の棚の正面図である。左右の支柱１３間において複数の上下棚板１２で形成される各載置区間の前面に載置物落下防止ベルトを張設する場合、物品１５の前面にベルトを張設すべく左側の支柱１３に固定金具５をボルト１４にて固定し、張架ベルト４の左端部を前記固定金具５に巻着してベルト留め７にて保持すると共に張架ベルト４の右端部をフランスカン８に巻着してベルト留め７にて保持する。また、右側の支柱１３に固定金具５をボルト１４にて固定し、張架ベルト６の右端部を前記固定金具５に巻着してベルト留め７にて保持する。物品１５を載置した後、前記張架ベルト６の左側の調節用ベルト１０をフランスカン８とローレット軸９の間に通して張設することにより、前記物品１５の落下防止を図ることになるが、調節用ベルト１０が垂れ下がって邪魔となるばかりか美観を損ねている。【００１４】  図４は本考案の載置物落下防止ベルト用保持具を実装した状態の棚の正面図である。該状態においても載置物落下防止ベルトを張設方法は上記方法と同様であるが、右側の張架ベルト６にはスライド自在で面ファスナー２を配設した保持具１が挿通され、さらに当該張架ベルト６のフランスカン８とローレット軸９の間を通った後の調節用ベルト１０の先端部にも面ファスナー１１が配設されている。そこで、前記調節用ベルト１０を張架ベルト６に重ねて折り返し、保持具１を調節用ベルト１０の先端部の面ファスナー１１と対面する位置までスライドして係合することにより張架ベルト６と一体に保持することができるため、調節用ベルト１０が邪魔になることもなく美観を損ねることもない。【００１５】  なお、上記にて説明した載置物落下防止ベルト用保持具の形状や構造に関する権利内容は、実施例に限定することなく同等の機能を有する全てのものを包含するものである。
【図面の簡単な説明】
【００１６】
【図１】本考案の載置物落下防止ベルト用保持具の使用状態を示した図である。
【図２】本考案の載置物落下防止ベルト用保持具の外形図である。
【図３】本考案の載置物落下防止ベルト用保持具を実装しない状態の棚の正面図である。
【図４】本考案の載置物落下防止ベルト用保持具を実装した状態の棚の正面図である。
【符号の説明】
【００１７】  １  保持具
２  面ファスナー
３  偏平筒
４  張架ベルト
５  固定金具
６  張架ベルト
７  ベルト留め
８  フランスカン
９  ローレット軸
１０  調節用ベルト
１１  面ファスナー
１２  棚板
１３  支柱
１４  ボルト
１５  物品
【図１】
0003187981.tif 000003
【図２】
0003187981.tif 000004
【図３】
0003187981.tif 000005
【図４】
0003187981.tif 000006